(57)【要約】【課題】出荷した製品装置の構成情報を構成管理装置の入力装置や出力装置でなくとも追加、変更、参照が行え、しかもシステム単位または製品装置単位で構成情報の管理を行うことができる構成管理装置を提供すること。【解決手段】入力装置５から入力された製品装置を構成する部品に関する構成情報を、構成情報記憶手段を経由して構成情報データベースに蓄積し、この蓄積された構成情報を構成情報表示手段および出力装置に出力するようにした構成管理装置において、前記入力装置５は、前記構成管理装置１に設けられた第１の入力装置５ａの他に、前記構成管理装置が接続されたネットワークを介して前記構成管理装置に接続される第２の入力装置５ｂ，５ｃを含み、前記構成情報記憶手段は、前記第１および第２の入力装置からの入力を記憶することを特徴とする構成管理装置。【選択図】  図１
2004192508.tif 000002
【特許請求の範囲】
【請求項１】
入力装置から入力された製品装置を構成する部品に関する構成情報を、構成情報記憶手段を経由して構成情報データベースに蓄積し、この蓄積された構成情報を構成情報表示手段および出力装置に出力するようにした構成管理装置において、
前記入力装置は、前記構成管理装置に設けられた第１の入力装置の他に、前記構成管理装置が接続されたネットワークを介して前記構成管理装置に接続される第２の入力装置を含み、
前記構成情報記憶手段は、前記第１および第２の入力装置からの入力を記憶する
ことを特徴とする構成管理装置。
【請求項２】
請求項１記載の構成管理装置において、
入力装置、出力装置および情報記憶手段を有し、前記構成管理装置に対してネットワークを介して接続された構成情報編集装置をそなえ、
前記構成情報編集装置の入力装置からの転送要求により、前記構成情報編集装置の情報記録手段に記憶されている製品装置を構成する情報を前記ネットワークに送信し、前記ネットワークから受信した製品装置を構成する情報を前記構成情報データベースに追加記憶する構成管理装置。
【請求項３】
請求項１記載の構成管理装置において、
入力装置、出力装置および情報記憶手段を有し、前記構成管理装置に対してネットワークを介して接続された構成情報編集装置をそなえ、
前記構成情報編集装置の入力装置からの転送要求により、前記構成情報編集装置の情報記録手段に記憶されている製品装置を構成する情報を前記ネットワークに送信し、前記ネットワークから受信した製品装置を構成する情報を前記構成情報データベースに変更記憶する構成管理装置。
【請求項４】
請求項１記載の構成管理装置において、
前記構成情報データベースに、製品装置の構成情報として製品装置に関わる関係者の情報を記憶することを特徴とする構成管理装置。
【請求項５】
請求項１記載の構成管理装置において、
前記構成情報データベースに、部品の実装先を任意に記憶することを特徴とする構成管理装置。
【請求項６】
請求項１記載の構成管理装置において、
前記構成情報データベースに、部品の寿命情報を記憶することを特徴とする構成管理装置。
【請求項７】
請求項１記載の構成管理装置において、
前記構成情報データベースに記憶されている部品の寿命に関して表示する手段を有することを特徴とする構成管理装置。
【請求項８】
請求項１記載の構成管理装置において、
製品装置を構成する部品の寿命につき、部品単位、製品装置単位、システム単位で、または構成管理装置を操作している者に関係する製品装置全体で表示する手段を有することを特徴とする構成管理装置。
【請求項９】
請求項１記載の構成管理装置において、
前記製品装置を表示する手段を有することを特徴とする構成管理装置。
【請求項１０】
請求項１記載の構成管理装置において、
前記製品装置を選択すると、選択された製品装置の構成情報を表示する手段を有することを特徴とする構成管理装置。
【請求項１１】
請求項１記載の構成管理装置において、
前記製品装置により構成されるシステムを表示する手段を有することを特徴とする構成管理装置。
【請求項１２】
請求項１記載の構成管理装置において、
前記構成情報データベースが記憶されている複数の製品装置に関する構成情報の一部を、他の記憶装置に転送する手段と、
この記憶装置に記憶された構成情報を編集する手段と
を有することを特徴とする構成管理装置。
【請求項１３】
請求項７ないし１１に記載された表示手段は、直接あるいはネットワークを介してネットワーク上の出力装置に表示する手段であることを特徴とする構成管理装置。
【発明の詳細な説明】
【０００１】
【発明の属する技術分野】
本発明は、ハードウェアおよびソフトウェアにより構成される製品装置の構成管理を行う装置に関する。
【０００２】
【従来の技術】
従来のこの種の構成管理装置は、図４に示すような構成となっている。すなわち、従来の構成管理装置は、製品装置の型式毎に使用されている部品の型式と、製品装置の型式の構成に対応した当該部品の固定の実装先と、搭載されるソフトウェアの型式を管理し、出荷された個々の製品装置の構成管理は、出荷した製品装置の型式，製造番号，出荷先を出荷した製品装置の構成情報として、これを構成情報データベースに直接入力して管理する。
【０００３】
構成情報を参照するには、構成情報データベースを直接参照し、製造番号、製品装置の型式、出荷先を確認し、その製品装置の型式を基に製品装置毎の構成情報の管理情報を参照している。
【０００４】
【発明が解決しようとする課題】
しかしながら、上記の構成管理装置によれば、次に示すような種々の問題がある。
【０００５】
（情報入力の問題）
構成情報のデータベースへの情報入力は、この構成管理装置に接続されている入力装置および出力装置によって行うため、入力できる人が限られることとなり、入力作業の効率が悪いという第１の問題がある。
【０００６】
また、構成情報のデータベースへ情報を入力するための入力装置や出力装置がない離れた場所で構成情報のデータベースに情報入力することができないため、離れた場所のある製品装置を見ながら構成情報を入力することができないという第２の問題がある。
【０００７】
（情報参照の問題）
構成情報の参照においても、構成情報のデータベースを情報参照できるのは、この構成管理装置に接続されている入力装置および出力装置によって行うため、参照できる人が限られるという第３の問題がある。
【０００８】
（情報管理の問題）
製品装置の型式毎に構成情報を管理しているため、型式に無い構成情報の製品装置の要求に対して構成管理ができないという第４の問題がある。
【０００９】
また、製品装置毎の構成管理のため、複数の製品装置により構成されているシステム単位での製品装置関係が把握し難いという第５の問題がある。
【００１０】
また、部品の実装先の情報が製品装置の型式の構成に対応した固定の実装先となるため、型式がある製品装置の構成情報だけしか構成管理することができないという第６の問題がある。
【００１１】
（システムインテグレータに関する問題）
また、出荷先の情報としてエンドユーザの情報が登録されるが、この製品装置を使用してシステムをインテグレートするシステムインテグレータの情報がないため、システムを最もよく把握しているシステムインテグレータへ情報の提供を行う等のコミュニケーションができなくなるという第７の問題がある。
【００１２】
また、出荷した製品装置がシステムインテグレータによる調整中なのか、エンドユーザにて使用されている状態なのか、使用を停止している状態なのか、廃棄された状態なのか、いつ部品が故障し、いつ交換したかなどの製品装置の使用履歴や使用状態が分からないため、管理の必要のない製品装置の構成管理をしていたり、必要のない部品交換の確認をしたりといった無駄な作業を行ってしまう第８の問題がある。
【００１３】
（部品管理の問題）
製品装置を構成する部品の中に使用寿命が限られた部品があるが、この寿命の限られた部品が分からないという第９の問題がある。
【００１４】
また、この寿命期間がどの位なのか分からないという第１０の問題がある。
【００１５】
また、この寿命時期があとどの位であるのか分からないため、部品交換を行う時期が分からないという第１１の問題がある。
【００１６】
また、出荷期からの部品を交換したときに、交換した部品かどうかが分からないため、交換の必要がない部品も交換してしまうという第１２の問題がある。
【００１７】
また、部品の型式が構成情報として管理されているが、その発行や変更の情報を管理する管理番号等の指標が構成情報と一緒に管理されていないため、この指標を型式から人手により検索しなければならず非効率であるという第１３の問題がある。
【００１８】
また、製品装置を構成する部品に問題や機能の追加、変更による部品の変更があったときに、その対象の部品かどうかが分からないため、部品変更が必要な製品装置が把握できず、製品装置の不具合を未然に防ぐことができないという第１４の問題がある。
【００１９】
また、部品に変更があった場合にその変更内容が分からないという第１５の問題がある。
【００２０】
また、部品の交換や変更の履歴が分からないため、製品装置に発生した事象と部品の交換や変更の関係を検証することができないという第１６の問題がある。
【００２１】
また、製品装置を構成する部品の交換や変更をした日付が分からないため、部品の次の交換時期や不具合などの事象発生が交換や変更以降に起きているのかの判断ができないという第１７の問題がある。
【００２２】
（製品装置毎の管理による問題）
また、製品装置毎の構成管理のため、複数の製品装置により構成されているシステム単位での製品装置関係や製品装置の台数が分かり難いため、同システム内の製品装置に部品の変更があったときの製品装置間の影響や影響の範囲を調べ難いという第１８の問題がある。
【００２３】
また、製品装置毎の全てを構成管理している場合に、操作者が関係している製品装置を把握し難いという第１９の問題がある。
【００２４】
（その他）
また、この構成管理装置では、誰もがどの製品装置の構成情報でも変更や参照ができるため、出荷先などのエンドユーザ情報などを見られたり、情報破壊されたりする恐れがあるという第２０の問題がある。
【００２５】
本発明は上述の点を考慮してなされたもので、出荷した製品装置の構成情報を構成管理装置の入力装置や出力装置でなくとも追加、変更、参照が行え、しかもシステム単位または製品装置単位で構成情報の管理を行うことができる構成管理装置を提供することを目的とする。
【００２６】
【課題を解決するための手段】
上記目的達成のため、本発明では、入力装置、出力装置および構成情報データベースを具備した構成管理装置において、請求項１ないし１３記載の装置を提供するものである。
【００２７】
請求項１によれば、ネットワークに接続された端末装置の入力装置から入力される製品装置を構成する情報をネットワークに送信するネットワーク通信手段と、ネットワークから情報を受信するネットワーク通信手段と、ネットワークから受信した製品装置を構成する情報および構成管理装置の入力装置から入力された製品装置を構成する情報を構成情報データベースに記憶する構成情報記憶手段を備える。
【００２８】
請求項２によれば、ネットワークに接続できる構成情報編集装置の入力装置からの転送要求により、構成情報編集装置の記憶装置に記憶された製品装置を構成する情報をネットワークに送信するネットワーク通信手段と、ネットワークから情報を受信するネットワーク通信手段と、ネットワークから受信した製品装置を構成する情報を構成情報データベースに追加記憶する構成情報追加転送記憶手段を備える。
【００２９】
請求項３によれば、ネットワークに接続できる構成情報編集装置の入力装置からの転送要求により、構成編集装置の記憶装置に記憶された製品装置を構成する情報をネットワークに送信するネットワーク通信手段と、ネットワークから情報を受信するネットワーク通信手段と、ネットワークから受信した製品装置を構成する情報を構成情報データベースに記憶された同一製品装置の情報を変更記憶する構成情報変更転送記憶手段を備える。
【００３０】
請求項４によれば、構成情報データベースに製品装置に関わる関係者の情報と、製品装置に関わる関係者の情報を構成情報データベースに記憶する構成情報記憶手段を備える。
【００３１】
請求項５によれば、構成情報データベースに製品装置を構成する情報に製品装置を構成する部品の実装先と、この実装先を構成情報データベースに記憶する構成情報記憶手段を備える。
【００３２】
請求項６によれば、構成情報データベースに製品装置を構成する情報に製品装置を構成する部品の寿命情報と、この寿命情報を構成情報データベースに記憶する構成情報記憶手段を備える。
【００３３】
請求項７によれば、請求項６で記憶された構成情報データベースの製品装置を構成する部品の寿命情報を読み出し、製品装置を構成する情報と共に出力装置に表示する構成情報表示手段を備える。
【００３４】
請求項８によれば、請求項６で記憶された構成情報データベースに記憶された製品装置を構成する部品の寿命情報と、構成情報データベースに製品装置を構成する情報に製品装置を構成する部品の使用開始時期と、この寿命情報と部品の使用開始時期から部品の寿命時期を算出する部品寿命算出手段と、部品、製品装置もしくはシステムまたは構成管理装置を操作している者に関係する装置全体で寿命時期を出力装置に表示する寿命時期表示手段を備える。
【００３５】
請求項９によれば、構成情報データベースに記憶された製品装置を構成する情報の中から同一システムの製品装置を検索してシステムを構成する製品装置を出力装置に表示するシステム構成装置表示手段を備える。
【００３６】
請求項１０によれば、請求項９で表示された製品装置の中から製品装置を選択する装置選択手段と、選択された製品装置を構成する情報を出力装置に表示する構成情報表示手段を備える。
【００３７】
請求項１１によれば、構成情報データベースに記憶された製品装置を構成する情報の中から製品装置のシステムを検索して構成情報データベースに記憶されている製品装置のシステムを出力装置に表示するシステム表示手段を備える。
【００３８】
請求項１２によれば、構成情報データベースに記憶されている複数の製品装置を構成する情報から一部の製品装置の情報を、記憶装置を具備した構成情報編集装置の記憶装置へ転送して複写記憶する構成情報複写転送記憶手段と、この構成情報編集装置の記憶装置に記憶された製品装置を構成する情報を出力装置に表示する構成情報表示手段と、入力装置から入力される製品装置を構成する情報を構成情報編集装置の記憶装置に記憶されている当該製品装置を構成する情報として変更記憶する構成情報記憶手段を備える。
【００３９】
請求項１３によれば、ネットワークに構成管理装置，端末装置をネットワークに接続して、端末装置の出力装置にネットワークから受信した各種の表示情報を表示するネットワーク通信手段と構成管理装置の各種手段から伝達された表示情報を、ネットワークを介してネットワークに接続された端末装置へ送信するネットワーク通信手段を備える。
【００４０】
【作用】
請求項１記載の装置は、ネットワークに接続された端末装置の入力装置から入力される製品装置を構成する情報を端末装置のネットワーク通信手段に伝え、このネットワーク通信手段がネットワークを介して製品装置を構成する情報を構成管理装置へ送信すると、構成管理装置のネットワーク通信手段がこの送信された情報を受信して構成情報記憶手段へ伝え、構成情報記憶手段が構成情報データベースに、この情報を記憶する。また、構成管理装置の入力装置から入力される製品装置を構成する情報を構成情報記憶手段へ伝えると、構成情報記憶手段が構成情報データベースに、この情報を記憶する。
【００４１】
請求項２記載の装置は、ネットワークに接続できる構成情報編集装置の入力装置から転送要求がネットワーク通信手段に伝えられ、ネットワーク通信手段が構成情報編集装置の記憶装置に記憶された製品装置を構成する情報を構成管理装置へネットワークを介して送信すると、構成管理装置のネットワーク通信手段がネットワークから製品装置を構成する情報を受信して構成情報追加転送手段に伝え、伝えられた製品装置が構成情報データベースに無いときに構成情報追加転送手段が構成情報データベースに製品装置を構成する情報を追加記憶する。
【００４２】
または、ネットワークに接続できる構成情報編集装置の入力装置から転送要求がネットワーク通信手段に伝えられ、ネットワーク通信手段がネットワークを介して構成管理装置へ転送要求を送信し、構成管理装置のネットワーク通信手段が転送要求を受信して構成情報追加転送手段へ伝え、構成情報追加転送手段が構成管理装置のネットワーク通信手段、ネットワークおよび構成情報編集装置のネットワーク通信手段を介して構成情報編集装置の記憶装置に記憶された製品装置を構成する情報を読み出し、読み出した情報の製品装置が構成情報データベースに無いときに製品装置を構成する情報を構成情報データベースに追加記憶する。
【００４３】
請求項３記載の装置は、ネットワークに接続できる構成情報編集装置の入力装置から転送要求がネットワーク通信手段に伝えられ、ネットワーク通信手段が構成情報編集装置の記憶装置に記憶された製品装置を構成する情報を構成管理装置へネットワークを介して送信すると、構成管理装置のネットワーク通信手段がネットワークから製品装置を構成する情報を受信して構成情報追加転送手段に伝え、構成情報追加転送手段が伝えられた製品装置の構成情報データベースに記憶されている製品装置を構成する情報につき、変更、追加の記憶を行う。
【００４４】
または、ネットワークに接続できるローカル構成情報編集装置の入力装置から転送要求がネットワーク通信手段に伝えられ、ネットワーク通信手段がネットワークを介して構成管理装置へ転送要求を送信し、構成管理装置のネットワーク通信手段が転送要求を受信して構成情報追加転送手段へ転送要求を伝え、構成情報追加転送手段が構成管理装置のネットワーク通信手段、ネットワークおよび構成情報編集装置のネットワーク通信手段を介して構成情報編集装置の記憶装置に記憶された製品装置を構成する情報を読み出し、読み出した製品装置に該当する構成情報データベースに記憶されている製品装置を構成する情報を変更記憶する。
【００４５】
請求項４記載の装置は、入力装置から入力される製品装置に関わる関係者の情報が構成情報記憶手段に伝えられ、構成情報記憶手段が構成情報データベースに伝えられた製品装置に関わる関係者の情報を記憶する。
【００４６】
請求項５記載の装置は、入力装置から製品装置を構成する情報として製品装置を構成する部品の実装先が入力されると、この実装先が構成情報記憶手段に伝えられ、構成情報記憶手段が構成する部品の実装先を構成情報データベースに記憶する。
【００４７】
請求項６記載の装置は、入力装置から製品装置を構成する情報として製品装置を構成する部品の寿命情報が入力されると、この寿命情報が構成情報記憶手段に伝えられ、構成情報記憶手段が構成する部品の寿命情報を構成情報データベースに記憶する。
【００４８】
請求項７記載の装置は、製品装置を構成する情報を表示する製品装置が入力装置から選択され、その選択された製品装置が構成情報表示手段へ伝えられると、構成情報表示手段は構成情報データベースからその製品装置を構成する情報と共にその製品装置を構成する部品の寿命情報を読み出し、出力装置へ製品装置を構成する情報と共に寿命情報を部品毎に表示する。
【００４９】
請求項８記載の装置は、部品寿命時期算出手段が構成情報データベースに記憶された製品装置を構成する部品の寿命情報と、構成情報データベースに製品装置を構成する情報に製品を構成する部品の使用開始時期とから、その部品の寿命時期を算出して、寿命時期表示手段に製品装置を構成する各部品の寿命時期を伝えることにより、寿命時期表示手段が部品単位、製品装置単位もしくはシステム単位、または構成管理装置の操作している者に関係する製品装置全体の構成の表示単位で寿命時期を出力装置に表示する。
【００５０】
請求項９記載の装置は、入力装置から出荷先のシステムが入力され、システム構成装置表示手段に、この出荷先のシステムが伝えられると、システム構成装置表示手段が構成情報データベースに記憶されている製品装置を構成する情報の出荷先のシステムが、伝えられたシステムと同一の製品装置を検索して当該製品装置の情報を出力装置に表示する。
【００５１】
請求項１０記載の装置は、請求項９により表示されたシステムを構成する製品装置がシステム構成装置表示手段より装置選択手段に伝えられ、入力装置から製品装置を指定する入力がされ装置選択手段へその製品装置が伝えられると、装置選択手段がシステム構成装置表示手段より伝えられたシステムを構成する製品装置の中に該当する製品装置がある場合に、構成情報表示手段へ入力装置から入力された製品装置を伝え、構成情報表示手段が伝えられた情報を構成情報データベースから読み出し出力装置に表示する。
【００５２】
請求項１１記載の装置は、入力装置から構成情報データベースに記憶されている製品装置のシステムを表示する要求が入力され、システム表示手段にこの要求が伝えられると、システム表示手段が構成情報データベースに記憶されている製品装置を構成する情報からシステム情報を読み出し、構成情報データベースに記憶されている製品装置のシステム情報を出力装置に表示する。
【００５３】
請求項１２記載の装置は、構成情報データベースに記憶されている製品装置を構成する情報の中から構成情報編集装置の記憶装置に記憶させたい製品装置を入力装置から入力し、この製品装置を構成情報複写転送記憶手段へ伝えると、構成情報複写転送記憶手段は、伝えられた製品装置を構成する情報を構成情報データベースから読み出し、構成情報編集装置の記憶装置へ同一内容の情報を転送して記憶装置に記憶させる。一方、入力装置からの製品装置を構成する情報の表示要求が入力され、構成情報表示手段へ表示要求が伝えられると、構成情報表示手段が構成情報編集装置の記憶装置に記憶された製品装置を構成する情報を読み出し、出力装置に表示する。また、入力装置から製品装置を構成する情報が構成情報記憶手段に入力されると、構成情報記憶手段は伝えられた製品装置を構成する情報で記憶装置に記憶されている情報を書き換え、記憶させる。
【００５４】
請求項１３記載の装置は、請求項７ないし１１に記載された端末装置の出力装置への表示を行う。
【００５５】
【実施例】
図１は、本発明の一実施例を示す構成管理装置の構成を示すブロック線図である。この装置は、構成管理装置１、端末装置２および構成情報編集装置３およびネットワーク４により構成されている。
【００５６】
端末装置２のネットワーク通信手段８ｂは、端末装置２の入力装置５ｂから入力される製品装置を構成する情報を、ネットワーク４を介して構成管理装置１へ送信する。
【００５７】
構成管理装置１のネットワーク通信手段８ａは、端末装置２のネットワーク通信手段８ｂから送信された製品装置を構成する情報を受信して、構成情報記憶手段１０へ伝える。
【００５８】
構成管理装置１の構成情報記憶手段１０は、構成管理装置１のネットワーク通信手段８ａから伝えられた製品装置を構成する情報を、構成情報データベース７に書き込み、記憶させる。また、構成管理装置１の入力装置５ａから製品装置を構成する情報が入力されると、この情報を構成情報データベース７に書き込み、記憶させる。
【００５９】
構成情報編集装置３のネットワーク通信手段８ｃは、構成情報編集装置３の入力装置５ｃから転送要求が伝えられると、構成情報編集装置３の記憶装置９に記憶された製品装置を構成する情報を、ネットワーク４を介して構成管理装置１に送信する。
【００６０】
構成管理装置１のネットワーク通信手段８ａは、ネットワーク４から製品装置を構成する情報を受信すると、構成情報追加転送手段１１及び構成情報変更転送手段１２に、受信した製品装置を構成する情報を伝える。
【００６１】
構成情報追加転送手段１１は、伝えられた製品装置を構成する情報が構成情報データベース７に無いときに、構成情報データベース７に伝えられた製品装置を構成する情報を書き込み、追加記憶させる。
【００６２】
構成情報変更転送手段１２は、伝えられた製品装置を構成する情報の製品装置の情報が既に構成情報データベース７に記憶されているときに、構成情報データベース７に伝えられた製品装置を構成する情報を書き換え、変更記憶させる。
【００６３】
また、構成管理装置１のネットワーク通信手段８ａは、ネットワーク４から製品装置を構成する情報を受信したとき、構成情報追加転送手段１１及び構成情報変更転送手段１２に、受信した製品装置を構成する情報を個々に伝えずに処理することもできる。つまり、ネットワーク通信手段８ａは、構成情報データベース７の情報を検索して、構成情報データベース７にネットワーク４から受信した製品装置を構成する情報が無いかを調べ、情報が無いときに構成情報追加記憶手段１１へ、また情報があるときに構成情報変更記憶手段１２へ伝える。これは、構成情報追加記憶手段１１や構成情報変更記憶手段１２において、構成情報データベース７に情報があるか否かを判断しないで処理する手法である。
【００６４】
構成管理装置１の構成情報記憶手段１０ａは、入力装置５ａから入力される製品装置に関わる関係者の情報を構成情報データベース７に書き込み、記憶させる。この製品装置に関わる関係者の情報としては、製品装置を使用する会社組織名，国名，住所，連絡先，プラント名，システム名，設置住所，保守担当連絡先などや、この製品装置を使用してのシステム製造販売元の会社組織名，住所，連絡先，設計担当連絡先，保守担当連絡先などや、製品装置の製造販売元の保守サポート担当連絡先などがある。
【００６５】
端末装置２のネットワーク通信手段８ｂは、端末装置２の入力装置５ｂから製品装置を構成する情報として製品装置を構成する部品の実装先が入力されると、この製品装置を構成する部品の実装先を、ネットワーク４を介して構成管理装置１へ送信する。
【００６６】
構成管理装置１のネットワーク通信手段８ａは、ネットワーク４から製品装置を構成する情報として製品装置を構成する部品の実装先を受信すると、この受信した製品装置を構成する部品の実装先を構成管理装置１の構成情報記憶手段１０ａに伝える。
【００６７】
構成管理装置１の構成情報記憶手段１０ａは、構成管理装置１の入力装置５ｂから製品装置を構成する情報として製品装置を構成する部品の実装先が入力されるか、または構成管理装置１のネットワーク通信手段８ａからの製品装置を構成する情報として製品装置を構成する部品の実装先が伝えられると、この構成する部品の実装先を構成情報データベース７に書き込み、記憶させる。
【００６８】
構成情報編集装置３の構成情報記憶手段１０は、構成情報編集装置３の入力装置５ｃから製品装置を構成する情報として製品装置を構成する部品の実装先が入力されると、この構成する部品の実装先を記憶装置９に書き込み、記憶させる。
【００６９】
この実装先としての情報としては、部品を製品装置へ装着するスロット位置，ベイ位置，ポート位置などである。具体例としては、スロット１，スロット２，スロット３，３．５インチベイ−１，３．５インチベイ−２，５インチベイ−１，５インチベイ−２，ＣＯＭ１，ＣＯＭ２，ＵＳＢ１，ＵＳＢ２などである。
【００７０】
端末装置２のネットワーク通信手段８ｂは、端末装置２の入力装置５ｂから製品装置を構成する情報として製品装置を構成する部品の寿命情報が入力されると、この製品装置を構成する部品の寿命情報を、ネットワーク４を介して構成管理装置１に送信する。
【００７１】
構成管理装置１のネットワーク通信手段８ａは、ネットワーク４から製品装置を構成する情報として製品装置を構成する部品の寿命情報を受信すると、この受信した部品の寿命情報を構成管理装置１の構成情報記憶手段１０ａに伝える。
【００７２】
構成管理装置１の構成情報記憶手段１０ａは、構成管理装置１の入力装置５ａから製品装置を構成する情報として製品装置を構成する部品の寿命情報が入力されるか、または構成管理装置１のネットワーク通信手段８ａからの製品装置を構成する部品の寿命情報が伝えられると、この構成する部品の寿命情報を構成情報データベース７に書き込み、記憶させる。
【００７３】
構成情報編集装置３の構成情報記憶手段１０ｃは、構成情報編集装置３の入力装置５ｃから製品装置を構成する情報として製品装置を構成する部品の寿命情報が入力されると、この部品の寿命情報を記憶装置９に書き込み、記憶させる。
【００７４】
この寿命情報としては、部品の使用可能期間と製品装置の使用環境などがある。使用可能期間としては、２年、３年などの単一期間や、使用環境により２０℃のとき４年，２５℃のとき３．５年，３０℃のとき３年，３５℃のとき２．５年などの、使用環境別の使用可能期間を情報とする。使用環境としては、温度，湿度などがある。
【００７５】
図２は、この表示例を示している。
【００７６】
端末装置２のネットワーク通信手段８ｂは、端末装置２の入力装置５ｂから製品装置を構成する情報を表示する製品装置が入力され、その製品装置を構成する情報を表示する製品装置が伝えられると、構成管理装置１にネットワーク４を介して、その製品装置を構成する情報を表示する製品装置を送信する。
【００７７】
構成管理装置１のネットワーク通信手段８ａは、ネットワーク４から製品装置を構成する情報を表示する製品装置を受信すると、構成情報表示手段１６に製品装置を構成する情報を表示する製品装置を伝える。
【００７８】
構成管理装置１の構成情報表示手段１６ａは、製品装置を構成する情報を表示する製品装置が構成管理装置１の入力装置５ａからこの製品装置を構成する情報を表示する製品装置が伝えられるか、または構成管理装置１のネットワーク通信手段８ａから製品装置を構成する情報を表示する製品装置が伝えられると、構成情報データベース７からその製品装置を構成する情報と共にその製品装置を構成する部品の寿命情報を読み出して、次のような動作を行う。
【００７９】
つまり、構成管理装置１の入力装置５ａから製品装置を構成する情報を表示する製品装置が伝えられたときには、構成管理装置１の出力装置６へ製品装置を構成する情報と共に寿命情報を部品毎に表示する。また、構成管理装置１のネットワーク通信手段８ａから製品装置を構成する情報を表示する製品装置が伝えられたときには、構成管理装置１のネットワーク通信手段８ａに製品装置を構成する情報と共に寿命情報を部品毎に表示するための情報を与えて、端末装置２の出力装置６ｂに伝える。
【００８０】
構成管理装置１のネットワーク通信手段８ａは、端末装置２の出力装置６ｂに対し製品装置を構成する情報と共に寿命情報を部品毎に表示するための情報が伝えられると、ネットワーク４を介して端末装置２の出力装置６ｂへ製品装置を構成する情報と共に寿命情報を部品毎に表示するための情報を送信する。
【００８１】
端末装置２のネットワーク通信手段８ｂは、ネットワーク４から端末装置２の出力装置６ｂへ、製品装置を構成する情報と共に寿命情報を部品毎に表示するための情報を受信すると、端末装置２の出力装置６ｂに、この受信した製品装置を構成する情報と共に寿命情報を部品毎に表示するための情報を出力し、端末装置２の出力装置６ｂに製品装置を構成する情報と共に寿命情報を部品毎に表示する。
【００８２】
端末装置２のネットワーク通信手段８ｂは、端末装置２の入力装置５ｂから製品装置を構成する情報として製品装置を構成する部品の使用開始時期が入力されると、ネットワーク４を介して製品装置を構成する部品の使用開始時期を、構成管理装置１へ送信する。
【００８３】
構成管理装置１のネットワーク通信手段８ａは、ネットワーク４から製品装置を構成する部品の使用開始時期を受信すると、この受信した部品の使用開始時期を、構成管理装置１の構成情報記憶手段１０へ伝える。
【００８４】
構成管理装置１の構成情報記憶手段１０ａは、構成管理装置１の入力装置５ａから製品装置を構成する情報として製品装置を構成する部品の使用開始時期が入力されるか、または構成管理装置１のネットワーク通信手段８ａからの製品装置を構成する情報として製品装置を構成する部品の使用開始時期が伝えられると、部品の使用開始時期を構成情報データベース７に書き込み、記憶させる。
【００８５】
構成情報編集装置３の構成情報記憶手段１０ｃは、構成情報編集装置３の入力装置５ｃから製品装置を構成する情報として製品装置を構成する部品の使用開始時期が入力されると、構成する部品の使用開始時期を記憶装置９に書き込み、記憶させる。
【００８６】
この使用開始時期としては、部品を使用開始した年月日などがある。
【００８７】
部品寿命時期算出手段２０は、製品装置を構成する部品が伝えられると、構成情報データベース７に記憶された製品装置を構成する部品の寿命情報と、構成情報データベース７の製品を構成する部品の使用開始時期とから、その部品の寿命時期を算出して、製品装置を構成する部品を伝えてきた部品寿命時期表示手段１７、装置寿命期間表示手段１８あるいはシステム寿命期間表示手段１９に、部品の寿命時期を伝える。
【００８８】
構成情報表示手段１６は、製品装置を構成する情報を表示する製品装置が伝えられると、先に述べた出力装置６へ製品装置を構成する情報と共に寿命情報を部品毎に表示すると共に、部品寿命時期表示手段１７に、伝えられた製品装置およびその製品装置を構成する各部品を伝える。
【００８９】
部品寿命時期表示手段１７は、構成情報表示手段１６から製品装置とその製品装置を構成する各部品が伝えられると、部品寿命算出手段２０へ寿命時期を算出する製品装置およびその製品装置を構成する各部品を伝える。
【００９０】
その結果、部品寿命算出手段２０から各部品の寿命時期が伝えられると、構成情報表示手段１６が出力装置６へ表示した製品装置を構成する情報に合わせて製品装置を構成する部品毎に、その寿命時期を、構成情報表示手段１６が製品装置を構成する情報を表示した出力装置６に表示する。
【００９１】
端末装置２のネットワーク通信手段８ｂは、端末装置２の入力装置５ｂから構成情報データベース７に記憶されている製品装置が使用されているシステムの表示要求が入力されると、ネットワーク４を介して構成管理装置１へそのシステムの表示要求を送信する。
【００９２】
構成管理装置１のネットワーク通信手段８ａは、ネットワーク４からシステムの表示要求を受信すると、システム表示手段１４へシステムの表示要求を伝える。
【００９３】
システム表示手段１４は、構成情報データベース７に記憶されている製品装置が使用されているシステムの表示要求が構成管理装置１の入力装置５ａから入力され、このシステムの表示要求が伝えられるか、または構成管理装置１のネットワーク通信手段８ａからシステムの表示要求が伝えられると、構成情報データベース７における各々の製品装置を構成する情報からシステム情報を読み出し、次のような動作を行う。
【００９４】
つまり、構成管理装置１の入力装置５ａから製品装置を構成する情報を表示する製品装置が伝えられたときには、構成管理装置１の出力装置６ｂへ読み出したシステム情報を表示し、また、構成管理装置１のネットワーク通信手段８ａから製品装置を構成する情報を表示する製品装置が伝えられたときには、端末装置２の出力装置６ｂにより読み出したシステム情報を表示するための情報を構成管理装置１のネットワーク通信手段８ａへ伝える。
【００９５】
構成管理装置１のネットワーク通信手段８ａは、読み出したシステム情報を端末装置２の出力装置６ｂに表示するための情報が伝えられると、ネットワーク４を介して伝えられたシステム情報を表示するための情報を、端末装置２の出力装置６ｂへ送信する。
【００９６】
端末装置２のネットワーク通信手段８ｂは、端末装置２の出力装置６ｂによりシステム情報を表示するための情報をネットワーク４から受信すると、この受信したシステム情報を表示するための情報を端末装置２の出力装置６ｂへ出力し、システム情報を表示する。
【００９７】
また、システム表示手段１４は、システムの表示要求が伝えられると、先に述べた出力装置６にシステム情報を表示すると共に、この表示する各システムをシステム寿命時期表示手段１９に伝える。
【００９８】
システム寿命時期表示手段１９は、システム表示手段１４から選択された各システムが伝えられると、部品寿命算出手段２０へ寿命時期を算出する各システムを伝える。
【００９９】
部品寿命算出手段２０は、伝えられたシステムを構成する製品装置を構成情報データベース７から検索して、各製品装置を構成する部品情報の各部品の寿命期間および各部品の使用開始時期を得、これに寿命期間を加えて各部品の寿命時期を算出し、システムを構成する各製品装置の部品の内で最も早く来る寿命時期を装置寿命時期表示手段１８に伝える。
【０１００】
システム寿命時期表示手段１９は、部品寿命算出手段２０から各システムの寿命時期が伝えられると、システム表示手段１４が出力装置６ａへ表示したシステム情報に合わせて、各システムの寿命時期をシステム表示手段１４がシステム情報を表示する出力装置６に表示する。
【０１０１】
端末装置２のネットワーク通信手段８ｂは、端末装置２の出力装置６ｂにシステム表示手段１４により表示されたシステム情報の中から、任意のシステムが端末装置２の入力装置５から選択入力されると、その選択したシステムを、ネットワーク４を介して構成管理装置１へ送信する。
【０１０２】
構成管理装置１のネットワーク通信手段８ａは、ネットワーク４から選択されたシステムを受信すると、選択されたシステムをシステム選択手段２１に伝える。
【０１０３】
システム選択手段２１は、構成管理装置１の入力装置５ａからシステムの選択が入力され、この選択されたシステムが伝えられるか、または構成管理装置１のネットワーク通信手段８ａから選択されたシステムが伝えられると、システム表示手段１４に選択されたシステムを伝え、システム表示手段１４が表示中のシステムであるか確認を行う。
【０１０４】
そして、システム表示手段１４は、システム選択手段２１から選択されたシステムが伝えられると、表示中のシステムの中に伝えられたシステムがあるか否かをシステム選択手段２１へ伝える。
【０１０５】
システム選択手段２１は、システム表示手段１４からの表示中のシステムの中にあるシステムであることが伝えられると、選択されたシステムをシステム構成装置表示手段１５に伝える。
【０１０６】
システム構成装置表示手段１５は、伝えられたシステムを構成する製品装置の情報として構成情報データベース７に記憶されている各製品装置のシステムに関して、システムの選択が構成管理装置１の入力装置５ａで選択入力された場合には構成管理装置１の出力装置６ａへ表示し、端末装置２の入力装置５ｂで選択入力された場合には、構成管理装置１のネットワーク通信手段８ａへ、端末装置２の出力装置６ｂに表示する各製品装置の表示情報を伝える。
【０１０７】
構成管理装置１のネットワーク通信手段８ａは、端末装置２の出力装置６ｂに表示する各製品装置の表示情報が伝えられると、ネットワーク４を介して端末装置２に対し端末装置２の出力装置６ｂに表示する各製品装置の表示情報を送信する。
【０１０８】
端末装置２のネットワーク通信手段８ｂは、端末装置２の出力装置６に表示する各製品装置の表示情報を受信すると、端末装置２の出力装置に対し受信した各製品装置の表示情報を出力し、各製品装置を表示する。
【０１０９】
また、システム構成装置表示手段１５は、システムを構成する製品装置を表示するシステムが伝えられると、先に述べた出力装置６ｂにシステムを構成する各製品装置を表示すると共に、装置寿命時期表示手段１８にシステムを構成する各製品装置を伝える。
【０１１０】
装置寿命時期表示手段１８は、システム構成装置表示手段１５からシステムを構成する各製品装置が伝えられると、部品寿命算出手段２０に寿命時期を算出する各製品装置を伝える。
【０１１１】
部品寿命算出手段２０は、伝えられた製品装置を構成する部品情報の各部品の寿命期間および各部品の使用開始時期を、構成情報データベース７から読み出し、使用開始時期に寿命期間を加えて、各部品の寿命時期を算出した上で、製品装置を構成する部品の内で最も早く来る寿命時期を装置寿命時期表示手段１８へ伝える。
【０１１２】
装置寿命時期表示手段１８は、部品寿命算出手段２０から各製品装置の寿命時期が伝えられると、システム構成装置表示手段１５が出力装置６ａに表示した各製品装置に合わせて、システム構成装置表示手段１５が各製品装置の寿命時期を、システムを構成する各製品装置を表示した出力装置６ａに表示させる。
【０１１３】
端末装置２のネットワーク通信手段８ｂは、システム構成装置表示手段１５が端末装置２の出力装置６ｂに表示させた製品装置の中から、端末装置２の入力装置５ｂにより任意の製品装置が選択入力されると、その選択した製品装置を構成管理装置１に対しネットワーク４を介して送信する。
【０１１４】
構成管理装置１のネットワーク通信手段８ａは、ネットワーク４から選択された製品装置を受信すると、装置選択手段２２に選択された製品装置を伝える。
【０１１５】
装置選択手段２２は、構成管理装置１の入力装置５ａから選択された製品装置が入力されるか、または構成管理装置１のネットワーク通信手段８ａから選択された製品装置が伝えられると、システム構成装置表示手段１５が表示中のシステムを構成する製品装置の中に選択された製品装置があるか否かを伝え、確認を行う。
【０１１６】
これに対応して、システム構成装置表示手段１５は、装置選択手段２２から選択されたシステムが伝えられると、表示中のシステムを構成する製品装置の中に伝えられた製品装置があるか否かを装置選択手段２２に伝える。
【０１１７】
装置選択手段２２は、システム構成装置表示手段１５からの表示中のシステムを構成する製品装置の中にある製品装置であることが伝えられると、構成管理装置１の構成情報表示手段１６ａに選択された製品装置を伝える。
【０１１８】
構成管理装置１の構成情報表示手段１６ａは、装置選択手段２２から選択された製品装置が伝えられると、構成情報データベース７からその製品装置を構成する情報と共にその製品装置を構成する部品の寿命情報を読み出す。
【０１１９】
そして、構成管理装置１の入力装置５ａにより製品装置が選択されたときには、構成管理装置１の出力装置６ａに対し、製品装置を構成する情報と共に寿命情報を部品毎に表示し、また構成管理装置１のネットワーク通信手段８ａにより製品装置が選択されたときには、構成管理装置１のネットワーク通信手段８ａに対して、端末装置２の出力装置６ｂに製品装置を構成する情報と共に寿命情報を部品毎に表示するための情報を伝える。
【０１２０】
構成管理装置１のネットワーク通信手段８ａは、端末装置２の出力装置６ｂに対し、製品装置を構成する情報と共に寿命情報を部品毎に表示するための情報が伝えられると、ネットワーク４を介して端末装置２に対し、製品装置を構成する情報と共に寿命情報を端末装置２の出力装置６ｂに部品毎に表示するための情報を送信する。
【０１２１】
端末装置２のネットワーク通信手段８ｂは、ネットワーク４から製品装置を構成する情報と共に寿命情報を部品毎に端末装置２の出力装置６ｂに表示するための情報を受信すると、この受信した情報を部品毎に端末装置２の出力装置６ｂに表示するための情報を出力し、端末装置２の出力装置６ｂに製品装置を構成する情報と共に寿命情報を部品毎に表示する。
【０１２２】
また、構成情報表示手段１６ａは、製品装置が伝えられると、製品装置を構成する情報と共に寿命情報を部品毎に先に述べた出力装置６ａに表示すると共に、部品寿命時期表示手段１７に伝えられた製品装置およびその製品装置を構成する各部品を伝える。
【０１２３】
構成情報編集装置３のネットワーク通信手段８ｃは、構成情報データベース７に記憶されている製品装置を構成する情報の中から構成情報編集装置３の記憶装置９に記憶させたい製品装置が構成情報編集装置３の入力装置５ｃから入力されると、構成情報データベース７に記憶されている製品装置を構成する情報の中から、構成情報編集装置３の記憶装置９に記憶させたい製品装置の情報を送信する。
【０１２４】
構成管理装置１のネットワーク通信手段８ａは、構成情報データベース７に記憶されている製品装置を構成する情報の中から、構成情報編集装置３の記憶装置９に記憶させたい製品装置をネットワーク４から受信すると、受信した構成情報データベース７に記憶されている製品装置を構成する情報の中から、構成情報編集装置３の記憶装置９に記憶させたい製品装置を構成情報複写転送記憶手段１３に伝える。
【０１２５】
構成情報複写転送記憶手段１３は、伝えられた構成情報データベース７に記憶されている製品装置を構成する情報の中から、構成情報編集装置３の記憶装置９に記憶させたい製品装置を構成する情報を構成情報データベース７から読み出し、構成管理装置１のネットワーク通信手段８ａに伝える。
【０１２６】
構成管理装置１のネットワーク通信手段８ａは、構成情報複写転送手段１３から構成情報編集装置３の記憶装置９に記憶させたい製品装置を構成する情報が伝えられると、ネットワーク４を介して構成情報編集装置３に伝えられた製品装置を構成する情報を送信する。
【０１２７】
構成情報編集承知３のネットワーク通信手段８ｃは、ネットワーク４から構成情報編集装置３の記憶装置９に記憶させたい製品装置を構成する情報を受信すると、構成情報編集装置３の記憶装置９に、受信した情報を書き込み、記憶させる。
【０１２８】
構成情報編集装置３の構成情報表示手段１６は、構成情報編集装置３の入力装置５からの製品装置を構成する情報の表示要求が入力されると、構成情報編集装置３の記憶装置９に記憶された製品装置を構成する情報を読み出し、構成情報編集装置３の出力装置６に製品装置を構成する情報を表示する。
【０１２９】
また、構成情報編集装置３の構成情報記憶手段１０は、構成情報編集装置３の入力装置５ｃから製品装置を構成する情報が入力されると、入力された製品装置を構成する情報により、構成情報編集装置３の記憶装置９に記憶されている製品装置を構成する情報を書き換えて記憶させる。
【０１３０】
部品寿命時期表示手段１７，装置寿命時期表示手段１８，システム寿命時期表示手段１９の、寿命時期の表示の表現方法としては、寿命となる日限を年月日で表示する方法や、寿命となる日限の何日か前（例えば６ヶ月前）から寿命日限が迫っていることを警告表示する方法や、両者を併せて表示する方法がある。
【０１３１】
図３(a)，(b)，(c)は、この寿命日限、寿命時期および寿命日限と警告表示の各表示例を示している。
【０１３２】
以上のように、構成管理装置１の入力装置５ａあるいは端末装置２の入力装置５ｂから、システムの表示要の入力を行うことにより、構成管理装置１の構成情報データベース７に記憶された各製品装置にて構成されるシステムの一覧を、各システムの寿命時期と共に構成管理装置１の出力装置６あるいは端末装置２の出力装置６ｂに表示する。
【０１３３】
また、構成管理装置１の出力装置６ａあるいは端末装置２の出力装置６ｂに表示されたシステムの一覧の中から、構成管理装置１の入力装置５ａあるいは端末装置２の入力装置５ｂによってシステムを選択することにより選択したシステムを構成する各製品装置を、各製品装置の寿命時期と共に構成管理装置１の出力装置６ａあるいは端末装置２の出力装置６ｂへ表示する。
【０１３４】
また、構成管理装置１の出力装置６ａあるいは端末装置２の出力装置６ｂに表示されたシステムを構成する各製品装置の中から、構成管理装置１の入力装置５ａあるいは端末装置２の入力装置５ｂによって製品装置を選択することにより選択した製品装置を構成する部品の情報を、各部品の寿命時期と共に構成管理装置１の出力装置６ａあるいは端末装置２の出力装置６ｂに表示する。
【０１３５】
また、構成管理装置１の入力装置５ａあるいは端末装置２の入力装置５ｂから製品装置を構成する情報を入力することにより、構成情報データベース７に製品装置を構成する情報を書き込み、記憶する。
【０１３６】
また、構成情報編集装置３の入力装置５ｃから、構成管理装置１の構成情報データベース７に記憶されている製品装置の構成の情報についての、構成情報編集装置３の記憶装置９への複写要求を行うと、構成情報データベース７から指定の製品装置を構成する情報が構成情報編集装置３の記憶装置９へ複写転送され、記憶される。
【０１３７】
また、構成情報編集装置３の入力装置５ｃから、記憶装置９に記憶された製品装置を構成する情報の表示要求がされると、記憶装置９に記憶された製品装置を構成する情報が構成情報編集装置３の出力装置６ｃに表示される。
【０１３８】
また、構成情報編集装置３の入力装置５ｃから、製品装置を構成する情報が入力されると、入力された製品装置を構成する情報が記憶装置９に書き込まれ、記憶される。
【０１３９】
また、構成情報編集装置３の入力装置５から、記憶装置９に記憶されている製品装置を構成する情報を構成管理装置１の構成情報データベース７へ転送する要求が行われると、構成情報データベース７に記憶されていない製品装置の場合には、その製品装置を構成する情報が追加書込み記憶され、既に存在する製品装置の場合には、製品装置を構成する情報を書き換えて記憶される。
【０１４０】
以上説明したように、
請求項１によれば、構成管理装置に直接に接続された入力装置の他に、構成管理装置をネットワークに接続し、ネットワークに接続された端末装置の入力装置から製品装置を構成する情報を構成管理装置の構成情報データベースに記憶させることができ、ネットワークに接続できる端末装置から製品装置を構成する情報の管理を行うことができる。
【０１４１】
請求項２によれば、構成管理装置と構成情報編集装置をネットワークに接続し、構成情報編集装置の記憶装置に記憶されている構成管理装置の構成情報データベースに記憶されていない製品装置を構成する情報を構成管理装置の構成情報データベースに追加することができ、ネットワークに接続できない環境の構成情報編集装置において製品装置を構成する情報を作成し、後からネットワークに接続して構成管理装置の構成情報データベースに追加記憶させることができる。
【０１４２】
請求項３によれば、構成管理装置と構成情報編集装置をネットワークに接続し、構成情報編集装置の記憶装置に記憶されている構成管理装置の構成情報データベースに記憶されている製品装置を構成する情報から変更された製品装置を構成する情報を構成管理装置の構成情報データベースに書き換えることができ、ネットワークに接続できない環境の構成情報編集装置において製品装置を構成する情報を作成し、後からネットワークに接続して構成管理装置の構成情報データベースに変更記憶させることができる。
【０１４３】
請求項４によれば、構成管理装置の構成データベースに製品装置を構成する情報として製品装置に関わる関係者の情報が記憶され、構成情報編集装置あるいは端末装置あるいは構成管理装置の出力装置にこの製品装置に関わる関係者の情報が表示されることにより、エンドユーザの保守担当者やシステム設計者の保守担当者などとコミュニケーションを採る先を容易に知ることができ、スムーズにコミュニケーションを採ることができる。また、エンドユーザが誰で何処に設置されているかなどの製品装置を構成する情報以外の製品装置に関係する情報についても管理することができる。
【０１４４】
請求項５によれば、製品装置を構成する情報として部品の実装先を任意に情制情報データベースに記憶することができるので、製品装置を構成する情報を固定化することなく色々な構成にて製品装置の構成を管理することができる。
【０１４５】
請求項６および７によれば、情制情報データベースに記憶される製品装置を構成する情報に部品の寿命期間の情報を設けたことにより、使用環境により部品の寿命期間および部品を交換する時期の目安が分かるようになる。また、請求項８記載の、部品の寿命時期の算出を行うための情報となる。
【０１４６】
請求項８によれば、システム単位、製品装置単位、部品単位の寿命時期を算出でき、これを出力装置に表示する各システムの情報や、システムを構成する各製品装置や製品装置を構成する部品の表示に併せて表示することで、それぞれの寿命時期が容易に分かり、システム，製品装置，部品を保守する時期を使用するエンドユーザや保守担当者がこの表示情報を見ることで分かり、部品交換などの保守の実施計画を行うことができる。
【０１４７】
請求項９によれば、製品装置を構成する情報にシステムを設けることにより、システムを構成する製品装置を表示することができるようになり、システム単位の保守を行う際の対象となる製品装置を容易に把握することができる。
【０１４８】
請求項１０によれば、システムを構成する製品装置を表示し、その中から対象となる製品装置を選択することができるため、数多くある製品装置の中からの対象システムの認識、および対象製品装置の選択が容易になる。
【０１４９】
請求項１１によれば、各製品装置により構成されるシステムを一覧表示することができ、どのようなシステムに製品装置が適用されているかを把握することができる。
【０１５０】
請求項９ないし１１によれば、各製品装置により構成されるシステムの一覧が表示でき、そのシステムを構成する製品装置の表示ができ、製品装置を構成する情報を表示するための製品装置を選択することができ、エンドユーザなどが製品装置を構成する情報を参照する際など製品装置を選択するときに、使用しているシステムを基に容易に対象とする製品装置を選択したり、システムを構成する製品装置を把握したりすることができる。
【０１５１】
請求項１２によれば、構成管理装置および構成情報編集装置をネットワークに接続し、構成管理装置の構成情報データベースに記憶されている多くの製品装置を構成する情報の中から一部の製品装置の製品装置を構成する情報を、ネットワークを介して構成情報編集装置の記憶装置へ記憶させることができ、その後に構成情報編集装置をネットワークから離してローカルに製品装置の構成情報を編集することができる。
【０１５２】
請求項１３によれば、ネットワークと接続できる環境にあれば、構成管理装置以外の出力装置へも各種の情報を表示することができる。
【０１５３】
【発明の効果】
本発明によれば、出荷した製品装置の構成情報を構成管理装置の入力装置や出力装置でなくともネットワークに接続された端末装置や構成情報編集装置から追加，変更，参照を行うことができる。
【図面の簡単な説明】
【図１】本発明の一実施例を示す構成管理装置の構成図。
【図２】図１に示した実施例の寿命情報の表示例を示す説明図。
【図３】図１に示した実施例の寿命日限、寿命時期、寿命日限および警告表示の表示例を示す説明図。
【図４】従来の構成管理装置の構成を示す説明図。
【符号の説明】
１  構成管理装置
２  端末装置
３  構成情報編集装置
４  ネットワーク
５  入力装置
６  出力装置
７  構成情報データベース
８  ネットワーク通信手段
９  記憶装置
１０  構成情報記憶手段
１１  構成情報追加転送記憶手段
１２  構成情報変更転送記憶手段
１３  構成情報複写転送記憶手段
１４  システム表示手段憶手段
１５  システム構成装置表示手段
１６  構成情報表示手段
１７  部品寿命時期表示手段
１８  装置寿命時期表示手段
１９  システム寿命時期表示手段
２０  部品寿命算出手段
２１  システム選択手段
２２  装置選択手段
【図１】
2004192508.tif 000003
【図２】
2004192508.tif 000004
【図３】
2004192508.tif 000005
【図４】
2004192508.tif 000006